(57)【要約】スマート端末用フィンガーグリップが開示される。本発明によるスマート端末用フィンガーグリップによると、スマート端末の外周面の一側に取り付けられ、ユーザの指を挟んで使用できるようにして、スマート端末をさらに安定的に把持できるようにすることで、ユーザが手を自由に使用できるようにする。また、ユーザの指を挟んで使用できるようにする可変シートによってスマート端末をさらに安定的に把持することができることはもちろん、可変シートに複数の突起を設けて、様々なユーザの指の太さに対応して適切にサイズの調節が可能なスマート端末用フィンガーグリップを提供することができる。
2020535679.tif 000002
【特許請求の範囲】
【請求項１】
携帯用端末の外周面の一側に取り付けられるように面上の一側に楕円穴部１３０が備えられる接着面１１０が形成され、前記接着面を保護するための保護フィルム１２０が形成される接着シート１００と、
前記接着シートの一側面に結合され、ボディの一側にはガイド溝２１０が形成され、他側には結合溝２２０が形成されるガイドシート２００と、
前記ガイドシートの一側面に積層されるが、前記結合溝に対応する融着部３１０が備えられ、前記ガイド溝を貫通するように突出した形態のスライドピン３２０が形成される可変シート３００と、
前記可変シートのスライドピンと結合され、前記スライドピンがガイド溝から離脱されないようにするための固定リベット４００と、
前記可変シートの一側面に結合される印刷フィルム５００と、を含むことを特徴とするスマート端末用フィンガーグリップ。
【請求項２】
前記ガイド溝２１０において、前記スライドピン３２０が往復移送できるが、前記スライドピンの位置を固定させるように内側方向に突出した少なくとも一つ以上の突出部２１１が形成され、
前記固定リベットのヘッド部４１０が定着されて外部に突出しないようにするための補助溝２１２を更に含むことを特徴とする請求項１に記載のスマート端末用フィンガーグリップ。
【請求項３】
前記突出部２１１は、前記ガイドシートの中心を基準にガイド溝の外側方向に形成され、前記ガイド溝の内周面の両側に互いに対称されるように、第１突起２１５が形成されて前記可変シートが前記ガイドシートと密着した状態を維持できるようにすることを特徴とする請求項２に記載のスマート端末用フィンガーグリップ。
【請求項４】
前記突出部２１１は、前記第１突起２１５と対向される方向に形成され、前記ガイド溝の内周面の一側に設定された間隔だけ離隔されて連続的に配置された複数の第２突起２１６が形成され、前記可変シートが前記ガイドシートと離隔された状態を維持するが、離隔された間隔を段階的に調節することができることを特徴とする請求項２に記載のスマート端末用フィンガーグリップ。
【請求項５】
前記結合溝２２０は、前記融着部３１０の強固な固定を図るために、表面に凹凸部を更に含むことを特徴とする請求項１に記載のスマート端末用フィンガーグリップ。
【請求項６】
前記接着シートと、ガイドシートと、可変シートと、固定リベットとは、熱融着、超音波接着、ボンディング接着のうち選択された何れかの接着方式によって結合されることを特徴とする請求項１に記載のスマート端末用フィンガーグリップ。
【請求項７】
前記ガイドシートは、既に設定された位置に取り付けられるように、磁性体からなる少なくとも一つ以上の固定部材２６０を更に含むことを特徴とする請求項１に記載のスマート端末用フィンガーグリップ。
【発明の詳細な説明】
【技術分野】
【０００１】
本発明は、スマート端末用フィンガーグリップに関するものであって、より詳細には、スマート端末の外周面の一側に取り付けられて、ユーザの指を挟んで使用できるようにして、スマート端末をさらに安定的に把持し得るようにすることで、ユーザの手を自由自在に使えるためのスマート端末用フィンガーグリップに関するものである。
【背景技術】
【０００２】
現在、スマートフォンなどのモバイル機器は、社会生活の中での応用がますます広くなっており、使用頻度がますます高まっているところ、長時間スマートフォンを手に握っている場合、ユーザに一定の負担をもたらすことになる。
【０００３】
特に、最近販売されているスマートフォンは、ユーザのニーズに合わせてディスプレイ画面の大きさはますます大きくなる傾向にあり、これは比較的に手の小さいユーザが使用することにおいて、格別な注意が必要になった。
【０００４】
また、特別な場所、例えば、運転中にスマートフォンのナビゲーションを使用する際、両手が自由でないため、ユーザに一定の安全上のリスクをもたらす。また、スマートフォンのオペレーティングシステムとタッチスクリーンの技術がますます発展するにつれて、スクリーンが大きくなるために、片手操作も一定の困難が存在するところ、手の小さな女性及び寝る前にスマートフォンを使用している人たちにとって、片手操作が極めて難しく、スマートフォンをよく落としてけがすることがある。
【０００５】
前記関連技術における問題について、韓国公開特許公報第１０-２０１６-０００６７３３号には、スマートフォン据置台について開示しているが、このような先行技術は、任意の場所にスマートフォンを据え置きする機能のみ提供するだけで、ユーザが手に持って操作するためには、依然として不便な問題点が発生した。
【先行技術文献】
【特許文献】
【０００６】
【特許文献１】韓国公開特許公報第１０-２０１６-０００６７３３号公報
【発明の概要】
【発明が解決しようとする課題】
【０００７】
本発明は、上述した問題点を解決するためのものであって、本発明の目的は、ユーザの指を挟んで使用できるようにする可変シートによってスマート端末をさらに安定的に把持できるようにすることはもちろん、可変シートに複数の突起を配置して、様々なユーザの指の太さに対応して適切にサイズ調節が可能なスマート端末用フィンガーグリップを提供することにその目的がある。
【０００８】
また、本発明は、別の接着剤を使用せずに、熱溶着方式により製作されて、人体に害がなく、部品間の接着力が向上され、製品の破損、または変形を最小限に抑えることはもちろん、製造工程が簡素化されて、生産性と経済性が向上できるスマート端末用フィンガーグリップを提供することにその目的がある。
【０００９】
さらに、本発明は、可変シートを突出部により固定した状態を維持できるようにして、任意の場所にスマート端末を据え置きできるようにし、据え置かれたスマート端末の角度を可変シートの調節によって調節することができるスマート端末用フィンガーグリップを提供することにその目的がある。
【００１０】
次に、本発明は、ガイドシートの回転ができて、ユーザがスマート端末を把持した状態で自由に回転できるようにするためのスマート端末用フィンガーグリップを提供することにその目的がある。
【課題を解決するための手段】
【００１１】
上述した問題点を解決するために、本発明に係るスマート端末用フィンガーグリップは携帯用端末の外周面の一側に取り付けられるように面上の一側に楕円穴部１３０が備えられる接着面１１０が形成され、前記接着面を保護するための保護フィルム１２０が形成される接着シート１００と、前記接着シートの一側面に結合され、ボディの一側にはガイド溝２１０が形成され、他側には結合溝２２０が形成されるガイドシート２００と、前記ガイドシートの一側面に積層されるが、前記結合溝に対応する融着部３１０が備えられ、前記ガイド溝を貫通するように突出した形態のスライドピン３２０が形成される可変シート３００と、前記可変シートのスライドピンと結合され、前記スライドピンがガイド溝から離脱されないようにするための固定リベット４００と、前記可変シートの一側面に結合される印刷フィルム５００と、を含むことを特徴とする。
【００１２】
この際、前記ガイド溝２１０は、前記スライドピン３２０が往復移送されるようにするが、前記スライドピンの位置を固定させることができるように内側方向に突出した少なくとも一つ以上の突出部２１１が形成され、前記固定リベットのヘッド部４１０が定着されて外部に突出しないようにするための補助溝２１２をさらに含むことを特徴とする。
【００１３】
また、前記突出部２１１は、前記ガイドシートの中心を基準にガイド溝の外側方向に形成され、前記ガイド溝の内周面の両側に互いに対称されるように、第１突起２１５が形成され、前記可変シートが前記ガイドシートと密着した状態を維持できるようにすることを特徴とする。
【００１４】
この際、前記突出部２１１は、前記第１突起２１５と対向される方向に形成され、前記ガイド溝の内周面の一側に設定された間隔だけ離隔されて連続的に配置された複数の第２突起２１６が形成されて前記可変シートが前記ガイドシートと離隔された状態を維持するが、離隔された間隔を段階的に調節することができることを特徴とする。
【００１５】
また、前記結合溝２２０は、前記融着部３１０の強固な固定を図るため、表面に凹凸部をさらに含むことを特徴とする。
【００１６】
併せて、前記接着シート、ガイドシート、可変シートと固定リベットは、熱融着、超音波接着、ボンディング接着のうち選択された何れかの接着方法によって結合されることを特徴とする。
【００１７】
さらに、前記ガイドシートは、既に設定された位置に取り付けられるように、磁性体からなる少なくとも一つ以上の固定部材２６０をさらに含むことを特徴とする。
【発明の効果】
【００１８】
このように、本発明は、ユーザの指を挟んで使用できるようにする可変シートによってスマート端末をさらに安定的に把持することができるようにすることはもちろん、可変シートに複数の突起を配置して、さまざまなユーザの指の太さに対応して適切のサイズ調節が可能な長所がある。
【００１９】
また、本発明は、別の接着剤を使用せずに、熱融着方式で製作されて、人体に害がなく、部品間の接着力が向上され、製品の破損及び変形を最小限に抑えることはもちろん、製造工程が簡素化されて、生産性と経済性が向上される効果がある。
【００２０】
さらに、本発明は、可変シートを突出部によって固定された状態を維持できるようにして、任意の場所にスマート端末が据え置きできるようにして、可変シートの調節を介して据え置かれたスマート端末の角度を調節することができるという利点がある。
【００２１】
次に、本発明は、ガイドシートの回転が可能であって、ユーザがスマート端末を把持した状態で自由に回転できるようにする効果がある。
【図面の簡単な説明】
【００２２】
【図１】本発明の好ましい実施形態に係るスマート端末用フィンガーグリップの使用状態を示す図。
【図２】本発明の好ましい実施形態に係るスマート端末用フィンガーグリップの分解斜視図。
【図３】本発明の好ましい実施形態に係るガイドシートの斜視図。
【図４】図３の底面斜視図。
【図５】本発明の好ましい実施形態に係るガイドシートの概略的な断面図。
【図６】本発明の好ましい実施形態に係る可変シートの斜視図。
【図７ａ】本発明の好ましい実施形態に係るスマート端末用フィンガーグリップの使用状態を示す概略的な断面図。
【図７ｂ】本発明の好ましい実施形態に係るスマート端末用フィンガーグリップの使用状態を示す概略的な断面図。
【図７ｃ】本発明の好ましい実施形態に係るスマート端末用フィンガーグリップの使用状態を示す概略的な断面図。
【図８】本発明の他の実施形態に係るガイドシートと回転シートの分解斜視図。
【図９】本発明の他の実施形態に係るガイドシートと回転シートの概略的な断面図。
【図１０ａ】本発明の他の実施形態に係るガイドシートと回転シートの使用状態図。
【図１０ｂ】本発明の他の実施形態に係るガイドシートと回転シートの使用状態図。
【図１１】本発明の他の実施形態に係るガイドシートと回転シートの分解斜視図。
【図１２】本発明の他の実施形態に係るガイドシートの分解斜視図。
【符号の説明】
【００２３】
１０：携帯用端末
１００：接着シート
１１０：接着面
１２０：保護フィルム
１３０：楕円穴部
２００：ガイドシート
２１０：ガイド溝
２１１：突出部
２１２、６４１：補助溝
２１５：第１突起
２１６：第２突起
２２０：結合溝
２３０：係止バンプ
２４０：固定溝
２５０：定着突起
２５１：補助突起
２６０：固定部材
２７０：収納溝
３００：可変シート
３１０：融着部
３２０：スライドピン
４００：固定リベット
４１０：ヘッド部
４２０：軸部
５００：印刷フィルム
６００：回転シート
６１０：回転溝
６２０：軸ネジ
６３０：弾性パッド
６４０：定着溝
【発明を実施するための形態】
【００２４】
以下、添付された図面を参照して、本発明の実施形態を説明する。各図面に提示された同一の符号は同一部材を示す。本発明を説明するにおいて、関連された公知の機能あるいは構成についての具体的な説明は、本発明の要旨を曖昧にしないために省略する。
【００２５】
図１は、本発明の好ましい実施形態に係るスマート端末用フィンガーグリップの使用状態を示す図であり、図２は、本発明の好ましい実施形態に係るスマート端末用フィンガーグリップの分解斜視図であり、図３は、本発明の好ましい実施形態に係るガイドシートの斜視図であり、図４は、図３の底面斜視図であり、図５は、本発明の好ましい実施形態に係るガイドシートの概略的な断面図であり、図６は、本発明の好ましい実施形態に係る可変シートの斜視図であり、図７a乃至図７cは、本発明の好ましい実施形態に係るスマート端末用フィンガーグリップの使用状態を示す概略的な断面図であり、図８は、本発明の他の実施形態に係るガイドシートの分解斜視図であり、図９は、本発明の他の実施形態に係るガイドシートの概略的な断面図であり、図１０a乃至図１０ｂは、本発明の他の実施形態に係るガイドシートの使用状態図であり、図１１は、本発明の他の実施形態に係るガイドシートと回転シートの分解斜視図であり、図１２は、本発明の他の実施形態に係るガイドシートの分解斜視図である。
【００２６】
本発明は、図１乃至図２に示すように、大きく接着シート１００と、ガイドシート２００と、可変シート３００と、固定リベット４００と、印刷フィルム５００と、から構成される。
【００２７】
まず、本発明の好ましい実施形態に係る前記接着シート１００は、携帯用端末の外周面の一側に取り付けられるように面上の一側に楕円穴部１３０が備えられる接着面１１０が形成され、前記接着面を保護するための保護フィルム１２０が形成される。
【００２８】
この際、前記接着シートは、図１に示すように、携帯用端末１０の背面に取り付けられるようにし、前記携帯用端末に付設されたカメラなどの部品に干渉されないように取り付けることができる。
【００２９】
また、前記接着シートは、好ましくは、シリコンゲル形態で製作することができるが、人体に無害な接着剤を塗布し、または両面テープのような別の接着部材を使用することができ、携帯用端末に取り付けられて容易に分離されない程度に限って、様々な実施形態を適用することができる。
【００３０】
この際、前記接着シートは、図２に示すように、好ましくは、後述されるガイドシートのガイド溝の形状に対応する楕円穴部１３０を形成することができる。
【００３１】
このような楕円穴部は、前記接着シートが携帯用端末に取り付けられる面積（図２を基準に接着シートの上部面）、ガイドシートに取り付けられる面積（図２を基準に接着シートの下部面）が同一に形成されて接着シートの両面に均一な接着力を提供することができるようにすることで、強固な取付を図ることができる。
【００３２】
また、前記楕円穴部は、ガイド溝の形状に対応するように製作され、後述される可変シートの移送に伴う固定リベットのヘッド部が接着シートと摩擦されることを防止することはもちろん、前記固定リベットのヘッド部が接着シートの厚さほど携帯用端末と離隔されるようにすることで、可変シートの円滑な変形が可能となるようにする。
【００３３】
例えば、接着シートの楕円穴部がない場合、固定リベットのヘッド部との接触を防止するために、別の構造物を追加で構成しなければならないので、作業性と生産性が低下されるという問題があり、接着シートが携帯用端末に取り付けられる面積がガイドシートに取り付けられる面積よりも広く形成されて、ユーザから発生される外力が相対的に面積の狭い取付面に作用されて容易に分離されてしまう問題点があるので、上述した楕円穴部を形成する方が好ましい。
【００３４】
一方、前記ガイドシート２００は、図２乃至図５に示すように、前記接着シートの一側面に結合されており、ボディの一側にはガイド溝２１０が形成され、他側には結合溝２２０が形成される。
【００３５】
この際、前記ガイドシートは、好ましくは、耐衝撃性と耐熱性に優れたＡＢＳ樹脂（acrylonitrile-butadiene-styrene resin）材質で形成することができ、他の合成樹脂、または金属などで製作することができるがこれに限っていない。
【００３６】
このようなＡＢＳ樹脂材質のガイドシートは、携帯用端末の発熱、または落下に因る衝撃などによって破損と変形を防止することができる。
【００３７】
一方、前記可変シート３００は、図６に示すように、ガイドシートの一側面に積層されるが、前記結合溝に対応する融着部３１０が備えられ、前記ガイド溝を貫通するように突出した形態のスライドピン３２０が形成される。
【００３８】
この際、前記可変シート３００は、好ましくは、弾性と強度の優れたＴＰＵ（Thermoplastic Poly Urethane）材質で形成することができるがこれに限っていない。
【００３９】
また、前記固定リベット４００は、前記可変シートのスライドピンと結合されて、前記スライドピンがガイド溝から離脱されないようにするためのものであって、前記ガイドシートの補助溝に定着されるヘッド部４１０と、前記ガイド溝を貫通して前記可変シートのスライドピンに結合される軸部４２０で構成される。
【００４０】
さらに、前記印刷フィルム５００は、前記可変シートの一側面に結合されるものであって、前記の印刷フィルムは、外周面に様々な形のロゴ、または柄などを印刷して使用することができ、透明または半透明の材質で形成することができる。
【００４１】
一方、前記ガイドシートと可変シートの作動について、図７a乃至図７cを基に説明する。
【００４２】
まず、前記ガイドシートのガイド溝は、前記可変シート３００のスライドピン３２０が往復移送されるようにするが、前記スライドピンの位置を固定させることができるように内側方向に突出した少なくとも一つ以上の突出部２１１が形成され、前記固定リベット４００のヘッド部４１０が定着されて外部に突出しないようにするための補助溝２１２をさらに含むことを特徴とする。
【００４３】
ここで、前記ガイド溝の内径は、好ましくは、前記スライドピンの軸部４２０の外径より同じ、または大きく形成して、前記スライドピンがガイド溝の内側でスライドできるようにする。
【００４４】
また、前記補助溝２１２の内径は、好ましくは、前記スライドピンのヘッド部４１０の外径より同じ、または大きく形成することができる。
【００４５】
この際、前記突出部２１１は、前記ガイドシートの中心を基準にガイド溝の外側方向に形成され、前記ガイド溝の内周面の両側に互いに対称されるように、第１突起２１５が形成されて前記可変シートが前記ガイドシートと密着した状態を維持できるようにすることを特徴とする。
【００４６】
すなわち、前記第１突起は、図７aに示すように、前記可変シートが任意にスライドされることを防止するためのものであって、前記ガイド溝の内周面の両側にそれぞれ互いに向かい合う形で形成することによって、ユーザが比較的大きな力を使用してこそ、前記スライドピンが通過できるようにする。
【００４７】
また、前記突出部２１１は、前記第１突起２１５と対向される方向に形成され、前記ガイド溝の内周面の一側に設定された間隔だけ離隔されて連続的に配置された複数の第２突起２１６が形成されて前記可変シートが前記ガイドシートと離隔された状態を維持するが、離隔された間隔を段階的に調節できることを特徴とする。
【００４８】
すなわち、前記第２の突起は、図７ｂ乃至図７cに示すように、前記可変シートが変形される程度を調節するためのものであって、前記ガイド溝の内周面の一側のみに配置されて、ユーザが比較的少ない力を使用しても前記スライドピンが通過できるようにする。
【００４９】
このような可変シートは、前記突出部により様々なユーザの指の太さに合わせて変形が可能であり、携帯用端末を任意の場所に据え置きする場合、可変シートを用いて据え置き角度を調節することができる。
【００５０】
また、前記結合溝２２０は、図７aに示すように、前記融着部３１０の強固な固定を図るため、表面に凹凸部をさらに含むことを特徴とし、前記融着部の表面にも凹凸部を形成することができる。
【００５１】
この際、前記凹凸部は、表面粗度Ｒａ３乃至１０で形成することができ、好ましくはＲａ５で形成する方が望ましい。
【００５２】
ここで、前記凹凸部の表面粗度がＲａ３未満の場合には、後述される熱融着方式による接合の際、接着力が低下し得て、また表面粗度がＲａ１０を超えるの場合には、融着部と結合溝が接触する部分に隙間（空隙）が発生して接着力が低下し得る。
【００５３】
また、前記結合溝の他の実施形態において、前記スライドピン、固定リベットと、同じ形態で形成することができ、これは可変シートとガイドシートとの強固な固定を図るためである。
【００５４】
さらに、前記ガイドシートは、図５に示すように、前記接着シートと結合される外周面の縁部に係止バンプ２３０が形成されることを特徴とする。
【００５５】
この際、前記係止バンプは、接着シートの接着力により、外部から流入される埃などの異物がくっついて汚染されることを防止するためのものであって、好ましくは、前記接着シートが前記係止バンプの内側に収容できるようにする。
【００５６】
併せて、前記接着シートと、ガイドシートと、可変シートと、固定リベットとは熱融着、超音波接着、ボンディング接着のうち選択された何れかの接着方式によって結合されることを特徴とする。
【００５７】
このような接着方式は、別の接着剤を使用せずに、熱融着方式で製作されて、人体に害がなく、部品間の接着力が向上され、製品の破損、または変形を最小限に抑えることはもちろん、製造工程が簡素化されて、生産性と経済性が向上できる効果がある。
【００５８】
一方、図８乃至図１０に示すように、本発明の他の実施形態について説明する。
【００５９】
まず、前記ガイドシートは、図８乃至図９に示すように、ガイドシートの回転ができるように回転シート６００をさらに含むことができる。
【００６０】
この際、前記ガイドシートは、外周面の一側に固定溝２４０が備えられ、長さ方向の両側端部に定着突起２５０が形成される。
【００６１】
また、前記回転シートは、外周面の一側に前記固定溝に対応する回転溝６１０が形成され、前記回転溝を貫通して前記固定溝に一側端が固定されるように軸ネジ６２０が形成され、前記軸ネジが前記回転溝の内側において上下方向に流動できるようにする弾性パッド６３０が形成される。
【００６２】
一方、図１０aは、前記ガイドシートの定着突起と前記回転シートの定着溝によって並べ重なる状態を示す図であり、図１０bは、前記ガイドシートと回転シートの軸ネジを基準に回転された状態を示す図である。
【００６３】
これに、上述したガイドシートと回転シートの作動について説明する。
【００６４】
ここで、ユーザが前記ガイドシートを把持した状態で、下部方向（図１０a基準）に力を加えて引っ張る。
【００６５】
以後、前記弾性パッドによって軸ネジが前記回転溝の内側から下部方向に移動され、これに前記定着突起と定着溝が分離されてガイドシートを回転させることができるようになる。
【００６６】
以後、ユーザがガイドシートを手放しすると、前記弾性パッドが弾性によって復元されてガイドシートを上部方向に移動させ、回転が終わるようになる。
【００６７】
この際、図１１に示すように、前記ガイドシートは、回転された状態を維持しやすいように、前記固定溝の外側周縁に沿って少なくとも一つ以上の補助突起２５１が形成され、前記回転シートは、前記補助突起と対応するように回転溝の外側周縁に沿って少なくとも一つ以上の補助溝６４１が形成されることを特徴とする。
【００６８】
一方、前記ガイドシートは、図１２に示すように、既に設定された位置に取り付けられるように、磁性体からなる少なくとも一つ以上の固定部材２６０をさらに含むことを特徴とする。
【００６９】
この際、前記固定部材は、好ましくは、金属または磁石などの磁性体で形成され、スマートフォンの据え置きを自由にするためのものであって、前記ガイドシートの面上に収納溝２７０が形成されて前記固定部材が収納できるようにする。
【００７０】
また、前記既に設定された位置は、例えば、車内の通気口またはダッシュボードになることができ、強固な取付のために磁石が内蔵された別のホルダを備えられることもできる。
【００７１】
このような固定部材は、スマートフォンの据え置きを位置に関係なく、任意の場所に容易に取り付けることができる長所がある。
【００７２】
このように、本発明は、ユーザの指を挟んで使用する可変シートによってスマート端末をさらに安定的に把持することができることはもちろん、可変シートに複数の突起を設けて、様々なユーザの指の太さに対応して適切にサイズの調節が可能な長所がある。
【００７３】
また、本発明は、別の接着剤を使用せずに、熱融着方式で製作されて、人体に害がなく、部品間の接着力が向上され、製品の破損、または変形を最小限に抑えることはもちろん、製造工程が簡素化されて、生産性と経済性が向上される効果がある。
【００７４】
さらに、本発明は、可変シートを突出部によって固定した状態を維持できるようにして、任意の場所にスマート端末を据え置きできるようにして、可変シートの調節を介して据え置かれたスマート端末の角度を調節することができるという利点がてある。
【００７５】
次に、本発明は、ガイドシートの回転が可能であって、ユーザがスマート端末を把持した状態で自由に回転できるようにする効果がある。
【００７６】
図面と詳細な説明を通して本発明の最適な実施形態を開示した。ここで、特定の用語が使用されたが、これは単に本発明を説明するための目的で使用されたものに過ぎなく、意味を限定したり、特許請求の範囲に記載された本発明の範囲を制限するために使用されたものではない。そのため、本技術分野における通常の知識を有する者であれば、これから多様な変形及び均等な他の実施形態が可能であることを理解できるだろう。したがって、本発明の真の技術的保護範囲は、添付の特許請求の範囲の技術的思想によって定めるべきである。
【図１】
2020535679.tif 000003
【図２】
2020535679.tif 000004
【図３】
2020535679.tif 000005
【図４】
2020535679.tif 000006
【図５】
2020535679.tif 000007
【図６】
2020535679.tif 000008
【図７ａ】
2020535679.tif 000009
【図７ｂ】
2020535679.tif 000010
【図７ｃ】
2020535679.tif 000011
【図８】
2020535679.tif 000012
【図９】
2020535679.tif 000013
【図１０ａ】
2020535679.tif 000014
【図１０ｂ】
2020535679.tif 000015
【図１１】
2020535679.tif 000016
【図１２】
2020535679.tif 000017
【国際調査報告】
2020535679.tif 000018
2020535679.tif 000019
2020535679.tif 000020
2020535679.tif 000021